(57)【要約】【課題】広く一般に安価に防犯装置を提供する。【解決手段】置物型防犯装置の中に電源と赤外線センサ、デジタル録音装置、警報ブザー、リモコン受信器を組み込み、一定距離内に侵入者が入った場合に赤外線センサが働き、警報音が本装置内から鳴り響き、家人や近隣に異常を知らせるシステムである。警報音は２段階方式とし、侵入者が本装置にさらに近づいた場合、発する警報音をより強力にする為、警報ブザーも併用する。置物型防犯装置本体は、盗難防止機能も有し、持ち上げた時に底に組み込んだ感知器が作動し警報ブザーが鳴り出し、一定時間鳴り続ける。普段はエクステリアとしての置物にもなり、どこにでも自由に移動可能な、一般家庭等にとって違和感のないものを提供する。【選択図】図１
2009265948.tif 000002
【特許請求の範囲】
【請求項１】
エクステリアを飾る置物として使用でき、且つ防犯装置としての機能を兼ね備えたもので、置物内部に赤外線センサを組み込み、一定距離内に人や動物等、動くものが入った場合に赤外線センサが反応し、そのセンサに応答して警報音を発するスピーカーと警報ブザーを備え、且つ電源用電池収納部とリモコン操作用の受信部を備え、置物の底部に盗難防止用感知器を備えた自由に移動可能な置物型防犯装置。
【請求項２】
請求項１記載の置物型防犯装置の中に２種類の赤外線センサを組み込む事とする。一番目の赤外線センサと該一番目の赤外線センサよりも近距離で反応する二番目の赤外線センサの２種類を有し、一番目の赤外線センサに応答して警報音を発するスピーカーを備え、更に二番目の赤外線センサに応答する警報ブザーを備えるものとする。これにより、一番目の赤外線センサに反応して発する警報音と、一番目のセンサよりも近距離で反応する二番目の警報ブザーが同時に鳴り響く事とし、家人等に異常をより強力に知らせる事を特徴とする置物型防犯装置。
【発明の詳細な説明】
【技術分野】
【０００１】
本発明は、防犯を目的とする移動式屋外設置型の簡易防犯装置に関する。
【背景技術】
【０００２】
従来の防犯システムは設置工事が必要な固定式が主流で、設置場所の制約が多く、誰でもどこへでも設置できる物ではなく、広く一般に普及しにくい物であった。
【０００３】
従来の場合、塀、壁等にセンサを設置し侵入を感知する物や建物の壁や屋根に取り付けて感知する物等、設置場所を簡単に移動できる物ではなかった。
【０００４】
電気工事や業者に依頼する事が必要で、簡単に使える物ではない。
【発明の開示】
【発明が解決しようとする課題】
【０００５】
以上に述べた従来の防犯装置の問題点は、設置場所の課題やコスト面での負担が多く、一般に普及しにくいものである。
【０００６】
本発明は、このような問題点を改善し、より多くの人々に安価に防犯装置を提供する事を目的とするものである。
【０００７】
本発明は、庭や玄関に置いても違和感のない装飾品ともなるような物を基本とし、中には他者から見ても可愛く違和感のない動物を模したものなどの置物形式とする。
【課題を解決するための手段】
【０００８】
請求項１  エクステリアを飾る置物として使用でき、且つ防犯装置としての機能を兼ね備えたもので、置物内部に赤外線センサを組み込み、一定距離内に人や動物等、動くものが入った場合に赤外線センサが反応し、そのセンサに応答して警報音を発するスピーカーと警報ブザーを備え、且つ電源用電池収納部とリモコン操作用の受信部を備え、置物の底部に盗難防止用感知器を備えた自由に移動可能な置物型防犯装置。
請求項２  請求項１記載の置物型防犯装置の中に２種類の赤外線センサを組み込む事とする。一番目の赤外線センサと該一番目の赤外線センサよりも近距離で反応する二番目の赤外線センサの２種類を有し、一番目の赤外線センサに応答して警報音を発するスピーカーを備え、更に二番目の赤外線センサに応答する警報ブザーを備えるものとする。これにより、一番目の赤外線センサに反応して発する警報音と、一番目のセンサよりも近距離で反応する二番目の警報ブザーが同時に鳴り響く事とし、家人等に異常をより強力に知らせる事を特徴とする置物型防犯装置。
【０００９】
置物型防犯装置は電源、例えば電池を内蔵しており、電気工事や特別な工事を必要としないものとし、大きさや重さは人手で持ち運びできるものとし、どこにでも移動が可能な形式とする。
【００１０】
置物型防犯装置の中に電池式電源を収納する為、配線等の考慮は不要である。
【発明の効果】
【００１１】
上述したように本発明は、今まで一般に普及しにくい防犯装置の問題点を改善し、より多くの人々に安価に防犯装置を提供できる。
【００１２】
置物型防犯装置は、番犬等を防犯目的で所有を希望しても番犬は高価であり、又、生き物の世話をするという金銭面や時間的な負担と家庭の事情等により、飼う事が困難な場合でも、その代替物として誰でも手軽に利用できるものである。
【発明を実施するための最良の形態】
【００１３】
置物型防犯装置は室外に置く物である為、素材は樹脂等で製作し雨水に耐えられるように防水機能を有する。
【００１４】
図２に示すように置物型防犯装置の両眼に一番目の赤外線センサ（１，１）を組み込み、センサの感知する上下角度、左右角度とも広角とし、この範囲内で感知する。このセンサは二番目の赤外線センサよりも遠距離で反応するものである。この範囲に人又は動物が侵入した場合、デジタル録音された警報音がスピ−カー（８）から発することとする。
【００１５】
スピーカーは置物型防犯装置の本体内に設置し、図３に示したとおり、スピーカー（８）は置物型防犯装置の腹部内に設ける。
【００１６】
図３に示すように置物型防犯装置の腹部に二番目の赤外線センサ（７，７）を組み込み、上下左右角度は一番目の赤外線センサと同様とするが、これは一番目の赤外線センサより短い距離に人又は動物が侵入した場合、感知し警報ブザーが作動する。この警報ブザーは一番目の赤外線センサで作動した警報音に重ねて鳴るものとする。
【００１７】
置物型防犯装置は盗難防止機能を有し、倒したり、盗もうとしたりして持ち上げた場合、置物型防犯装置の底に設置した感知器が働き、これがスイッチとなって、警報音が一定時間鳴り続ける盗難防止用感知器を設ける事とする。
【００１８】
電源である電池は置物型防犯装置内の電池収納部分（３）に収納する方式とする。
【００１９】
電池は蓋（４）を取り外し、その中に収納する形式とし、蓋（４）は四隅をパッキンで被い蓋内部に雨水が浸入しないよう防水仕様とする。
【００２０】
感知するシステムに使う赤外線センサは、人や動物から発せられる熱エネルギーの赤外線が放出されている事を利用して、周囲との温度差を感知し変換させる装置である。このセンサの受信可能な感知距離内に人や動物といった対象物が侵入した場合、放出される赤外線を受信して電気信号に変える事によって、置物型防犯装置が機能する。
【００２１】
置物型防犯装置は家人（所有者）がセンサを解除できるように、リモコン方式とする。
【００２２】
リモコン（９）はＯＮ、ＯＦＦをボタン操作によって設定、解除可能な方式とする。
【００２３】
リモコンの設定、解除は置物型防犯装置の前後どちらからでも作動するシステムとし、警報感知距離外からでも受信する機能を有する。
【００２４】
置物型防犯装置のリモコン受信部は、前方部分、図3に示す（６）と、後方部分、図2に示す（５）の2箇所とする。
【産業上の利用可能性】
【００２５】
本発明は家庭や商店、会社の防犯に利用することができる。
【図面の簡単な説明】
【００２６】
【図１】本発明を側面から見た斜視図
【図２】本発明を上から見た図
【図３】本発明を正面から見た図
【符号の説明】
【００２７】
１  一番目の赤外線センサ
２  盗難防止用感知器
３  電池収納部分
４  蓋
５,  ６  リモコン受信部
７  二番目の赤外線センサ
８  スピーカー部
９  リモコン
【図１】
2009265948.tif 000003
【図２】
2009265948.tif 000004
【図３】
2009265948.tif 000005